(57)【要約】  本発明は、調整可能な上側および下側副木とともに調整可能な側枠を有するフレーム構造を備えた過伸展支持具に関する。フレームは、鎖骨下部副木（１）と、側枠（３）に連結された骨盤および恥骨体副木（２）とを備えている。側枠の高さと、好ましくは、鎖骨下部副木および恥骨体副木の幅とは、非回転性で、入れ子式、かつ固定可能な連結部（６、７、８、９）により調整可能である。好ましくは、鎖骨下部副木（１）は、ターンバックルネジ装置により側枠に連結される。フレームは、複合材料から形成されてもよく、好ましくは、ガラス繊維および／または炭素繊維により強化された重合体から形成される。すべての調整は、何らかの道具を必要とすることなく行われる。
2009539519.tif 000002
【特許請求の範囲】
【請求項１】
鎖骨下部副木（１）と、
側枠（３、４）に連結された骨盤および恥骨体副木（２）とを備え、
側枠（３）の高さは、非回転性で、入れ子式、かつ固定可能な連結部（６、８、９）により調整可能であることを特徴とする過伸展支持具用フレーム。
【請求項２】
骨盤および恥骨体副木（２）の幅は、非回転性で、入れ子式、かつ固定可能な連結部（７、８、９）により調整可能であることを特徴とする請求項１に記載の過伸展支持具用フレーム。
【請求項３】
連結部は、係合可能な歯部（９）および凹部（１０）を有するロック要素を有することを特徴とする請求項１または２に記載の過伸展支持具用フレーム。
【請求項４】
恥骨体副木（２）は、スライドおよび固定可能な連結部（７）により各側枠（３）に連結されることを特徴とする請求項２または３に記載の過伸展支持具用フレーム。
【請求項５】
鎖骨下部副木（１）は、ターンバックルネジ装置（１３、１４）により側枠（３）に連結されることを特徴とする請求項１乃至４のいずれかに記載の過伸展支持具用フレーム。
【請求項６】
ターンバックルネジ装置（１３、１４）は傾斜して配置されていることを特徴とする請求項５に記載の過伸展支持具用フレーム。
【請求項７】
後部バンド（４）は、バックル（１６）により各側枠に連結されることを特徴とする請求項１乃至６のいずれかに記載の過伸展支持具用フレーム。
【請求項８】
各バックル（１６）は、バンドの緩みを巻き取るてこ機構（１７）を有することを特徴とする請求項７に記載の過伸展支持具用フレーム。
【請求項９】
後部バンドは、各側枠における所定の位置に、高さ方向において調整可能に連結されることを特徴とする請求項７または８に記載の過伸展支持具用フレーム。
【請求項１０】
フレーム（１、２、３）は、本質的に複合材料からなることを特徴とする請求項１乃至９のいずれかに記載の過伸展支持具用フレーム。
【請求項１１】
複合材料は、ガラスおよび／または炭素繊維により強化された重合体からなることを特徴とする請求項１０に記載の過伸展支持具用フレーム。
【請求項１２】
骨盤および恥骨体副木（２）および側枠（３）の本体部は、それぞれの横方向において湾曲されていることを特徴とする請求項１０または１１に記載の過伸展支持具用フレーム。
【発明の詳細な説明】
【技術分野】
【０００１】
本発明は、調整可能な上側および下側副木とともに調整可能な側枠を有するフレーム構造を備えた過伸展支持具に関する。すべての調整は、何らかの道具を必要とすることなく行われる。好ましくは、フレームは複合材料から形成されている。
【従来の技術】
【０００２】
過伸展支持具は従来から知られている装置であり、例えば米国特許第３２２０４０７号明細書（特許文献１）および米国特許第６０１０４７２号明細書（特許文献２）に記載されている。過伸展支持具は、典型的には３点てこシステムを用いており、また支持具は、胸骨または鎖骨下部領域と骨盤および恥骨体領域とをともに係合する副木を有し、腰部の背骨と下部胸部領域とを係合する副木を有している。そのような支持具は、圧縮骨折などの脊椎に関わる問題の治療において効果的であることがわかっている。
【０００３】
先行文献における過伸展支持具も原理的に機能してはいるが、それらには一定の面で改善の余地がある。例えば、支持具の様々な部材の間の連結には、しばしばネジ及びボルトが用いられており、このため、支持具の寸法を調整するための道具が必要となる。典型的には、ネジ及びボルトは金属部品からなり、これらの金属部品は重いだけでなく、Ｘ線機器と干渉する。
【特許文献１】米国特許第３２２０４０７号明細書
【特許文献２】米国特許第６０１０４７２号明細書
【発明の開示】
【発明が解決しようとする課題】
【０００４】
本発明は、何らかの道具を必要とすることなく患者に容易に取り付けることのできる過伸展支持具を提供することを課題とする。また本発明は、Ｘ線機器と干渉しない過伸展支持具を提供することを課題とする。
【課題を解決するための手段】
【０００５】
本発明が提供する過伸展支持具用フレームは、鎖骨下部副木と骨盤および恥骨体副木とを備え、これらは、側枠と連結されている。
【０００６】
本発明によれば、側枠の高さは、非回転性で、入れ子式、かつ固定可能な連結部により調整可能である。
【０００７】
好ましくは、上側の鎖骨下部副木は、側枠に配置されたターンバックルにより連結されている。
【０００８】
フレームは、複合材料から形成されることができ、好ましくはガラス繊維および／または炭素繊維により補強された重合体から形成されている。
【０００９】
本発明は請求項１により画定される。一方、本発明の形態は従属クレームにおいて規定されている。
【発明を実施するための最良の形態】
【００１０】
メインフレームは、パッド１２を有し、患者の胸骨または鎖骨下部領域に圧力を印加するよう設けられた上側の鎖骨下部副木１を備えている。上側の副木１は、上側および下側の側枠３、４により、患者の骨盤および恥骨体領域に圧力を印加する下側の骨盤および恥骨体副木２に連結されている。
【００１１】
図２および図３に示されているように、側枠３、４はその端部に向かって突き出ており、これによって、上側の副木１と下側の副木２が側枠３、４の前側に配置される。上側の副木１と下側の副木２はともに、患者への取り付けが快適となるよう、わずかに湾曲され、または長円形に形付けられている。
【００１２】
図５および図６に示されているように、下側の恥骨体副木２は、両端に設けられたロック手段７により下側の恥骨体側枠４に連結されている。側枠４は、下側の副木２に連結される一体化された側部部品を有している。側枠４は、下側の副木２に対して相対的にスライド移動することができ、そして様々な位置において固定可能である。好ましくは、構造上の安定のために、オス／メス結合または入れ子状の連結などにより、側枠４が副木２によりおおよそ取り囲まれている。外側またはオス型のエレメントは、少なくとも内側またはメス型のエレメントの端部またはその他のガイド部分と係合する必要があり、これによって、スライドの際、内側またはメス型のエレメントが外側またはオス型のエレメントにより案内される。さらに固定される際、内側またはメス型のエレメントが、平行移動および回転に対して確実に所定位置に保たれる。図５および図６において、外側またはオス型のエレメントは、完全に内側またはメス型のエレメントを取り囲んでいるが、しかし、外側またはオス型のエレメントは、一側で開放されていてもよい。これによって、外側またはオス型のエレメントは、内側またはメス型のエレメントをＣ字状に取り囲むことができる。本明細書において、そのような機能を有する連結は、完全に取り囲まれているか否かに関わらず、非回転性の入れ子状連結として示されている。
【００１３】
上側および下側の側枠３、４もまた、同様のロック手段６により、ともに連結されている。このロック手段６は、前記ロック手段７と同一の設計であってもよい。
【００１４】
ロック手段の１つの形態が図５および図６に示されている。ロック手段は、連結されたエレメントのうちの一方、例えば下側の副木２および側枠３の下側のエレメント４のどちらか一方において、回動可能に取り付けられた取っ手８を備えている。取っ手の底面には歯部９が設けられ、この歯部９は、連結されたエレメントのうちの他方に設けられた凹部１０と係合することができる。図６に示すように、下側の副木２におけるフレームの幅、および側枠３、４の高さは、取っ手８を持ち上げることにより調整され、これによって、エレメントの一方をエレメントの他方に対して拡張させ、または収縮させることができる。その後、取っ手８は図５に示すように押し下げられる。
【００１５】
取っ手８をロック位置に固定するため、ロックピン１８が、連結エレメントおよび取っ手エレメント８における孔１９Ａ、１９Ｂにそれぞれ挿入されていてもよい。
【００１６】
図５および図６に示されているように、フレームのエレメントは、好ましくは、曲げ抵抗を改善するために横方向において湾曲されている。
【００１７】
図に示すように、下側の骨盤および恥骨体副木は、結合パッド１１を有している。最適な支持を行うため、下側の骨盤および恥骨体副木は、股間ラインのすぐ上（上部）に配置される必要がある。このようにして、結合パッド１１が恥骨体および坐骨（＝結合線）を覆う必要がある。好ましくは、下側の副木部材は２つの態様を有している。１つは、結合パッド１１を有している態様であり、もう１つは、結合パッド１１を有していない態様である。上記の記述から、下側の副木２全体を取り外して、前述の２つの態様を必要に応じて入れ替えることが容易であることが理解される。
【００１８】
原理的には、スライドおよび固定が可能な同じタイプのロック手段が上側の鎖骨下部副木１に設けられていてもよい。しかしながら、上側の副木におけるスライドおよび固定が可能なロック手段の好ましい形態が、図７に示されている。下部鎖骨副木１は、副木１のうちわずかに傾斜して配置されている部分を挟んで両側に、２つの下部鎖骨パッド１２を備えている。副木は、側枠３と一体に形成されている水平部分１５に設けられた雄ネジ１４と協働する雌ネジ１３を有している。雌ネジは互いに反対のピッチを有しており、このため、上側の副木１は、ターンバックルネジとして拡張または収縮することができる。副木１が一方向に回転すると、好ましくは人体に向かって回転すると、側部のエレメントがともに引き寄せられる。そして副木１が他方向に回転すると、すなわち人体から離れる向きに回転すると、側部のエレメントが引き離される。
【００１９】
副木１はわずかに傾斜して配置されており、このため、副木１を回転させることにより、側枠の曲げが発生する。これによって、抵抗力が生じる。鎖骨下部副木と側枠３との角度は、図に示されているような安静位が形成されるよう選択される。この位置は、患者にとって典型的な快適位置であり、この位置では、パッドが患者の体に対して概ね平坦になる。また、鎖骨下部副木１をこの安静位の周りにおいて小さな角度にわたって回転させるためには、小さな力のみが必要とされる。このため、パッド１２が置かれている鎖骨および胸郭の周りで、患者の人体がわずかに変位したとしても、パッドの位置が自然と調整される。最適な支持を行うため、鎖骨下部のパッド１２は、鎖骨の約２ｃｍ下に配置される必要がある。
【００２０】
上側の副木１の幅を調整するため、双方向での１つまたはそれ以上の全回転（３６０度）が必要となる。側枠の抵抗力はそれほど大きくないので、手動で容易に回転させることが可能である。１回転により約７ｍｍ拡張または収縮するよう、ネジ１３、１４のピッチが選択されている。パッド１２が患者の体に対して静止しているとき、上側の副木１の幅は固定されている。
【００２１】
図８は、背面パッド５を示す図である。図が不明瞭にならないよう、後部バンドは省略されている。背面パッド５は、おおむね楕円形を有しており、これによって、患者の腰部および下部胸部領域に快適に配置させることができる。後部バンドは、背面パッド５の孔部２０に通されており、そして下側の副木２から所定の距離の位置で側枠３に取り付けられている。患者の背中に向かい合う内側部分は、おおむね平滑化されている。
【００２２】
図９は、腰のバンドを締めつけるとともに取り外し可能に固定するバックル１６を示す図である。好ましくは、対称性のため、各側部に１つのバックルが設けられており、これによって、背面パッド５を体の中心に位置させることが容易になる。各バックル１６は、バックルが固定されたときに所定量のバンドの緩みを巻き取るてこ機構１７を有する。てこ機構１７は、一方の面において回動可能に取り付けられており、他方の面において閉められ、または開放される。好ましくは、てこ機構１７の長さは約５０ｍｍであり、これによって、各バックルは約１００ｍｍの緩みを巻き取ることができる。後部バンドの長さは、背面パッド５により、または従来の手段（図示せず）を有するバックルにより調整される。
【００２３】
側枠との連結位置は、好ましくは図１０に示されているように、高さ方向において調整可能である。くぼみ２１は、下側の側枠４に設けられている。各バックル１６は、弾性を有し、取り外し可能にくぼみ２１に嵌め込まれる凸部２２を有しており、これによって、バックルを適切な高さに固定することが可能となる。
【００２４】
好ましくは、支持具全体は非金属性、非磁性、かつ軽量の材料から製造される。例えば、メインフレームはガラスおよび／または炭素繊維により強化された重合体から形成されてもよい。そのような部品は、射出成形により製造されてもよい。また、バックル１６はプラスティックからなり、後部バンドは合成繊維または天然繊維からなる。
【００２５】
本発明は、便利で経済的であり、かつ道具を用いることなく調整することができる過伸展支持具を提供する。材料の選択により、支持具は、軽量になるとともに手入れが容易になり、また支持具は、電場干渉および磁場干渉に対して敏感な機器を妨げない。エレメントを加熱し、形状を改造することにより調整を行うことができるようにするため、熱可塑性の材料を用いてもよい。フレームの形状は、側枠、そして上側および下側副木の広い範囲において、独立して調整される。このため、様々な患者の体型を網羅するのに、１つの寸法のフレームを用意すれば十分である。
【００２６】
上記の記載および図面において、特定の形態が本発明の形態として示された。しかしながら、本発明の範囲は請求項によってのみ画定される。
【図面の簡単な説明】
【００２７】
【図１】図１は、支持具のメインフレームの正面図。
【図２】図２は、メインフレームの正面からの斜視図。
【図３】図３は、メインフレームの側面図。
【図４】図４は、メインフレームの背面図。
【図５】図５は、閉鎖位置におけるロック手段の斜視破断図。
【図６】図６は、開放位置におけるロック手段の斜視破断図。
【図７】図７は、パッドおよびネジを有する上側の副木の透過図。
【図８】図８は、背面パッドの斜視図。
【図９】図９は、バックルの外側の斜視図。
【図１０】図１０は、バックルの内側の斜視図。
【図１】
2009539519.tif 000003
【図２】
2009539519.tif 000004
【図３】
2009539519.tif 000005
【図４】
2009539519.tif 000006
【図５】
2009539519.tif 000007
【図６】
2009539519.tif 000008
【図７】
2009539519.tif 000009
【図８】
2009539519.tif 000010
【図９】
2009539519.tif 000011
【図１０】
2009539519.tif 000012
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
鎖骨下部副木（１）と、
側枠（３、４）に連結された骨盤および恥骨体副木（２）とを備え、
側枠（３）の高さは、非回転性で、入れ子式、かつ固定可能な連結部（６、８、９）により調整可能であり、
鎖骨下部副木（１）は、ターンバックルネジ装置（１３、１４）により側枠（３）に連結されることを特徴とする過伸展支持具用フレーム。
【請求項２】
ターンバックルネジ装置（１３、１４）は傾斜して配置されていることを特徴とする請求項１に記載の過伸展支持具用フレーム。
【請求項３】
骨盤および恥骨体副木（２）の幅は、非回転性で、入れ子式、かつ固定可能な連結部（７、８、９）により調整可能であることを特徴とする請求項１に記載の過伸展支持具用フレーム。
【請求項４】
連結部は、係合可能な歯部（９）および凹部（１０）を有するロック要素を有することを特徴とする請求項１または２に記載の過伸展支持具用フレーム。
【請求項５】
恥骨体副木（２）は、スライドおよび固定可能な連結部（７）により各側枠（３）に連結されることを特徴とする請求項２または３に記載の過伸展支持具用フレーム。
【請求項６】
後部バンド（４）は、バックル（１６）により各側枠に連結されることを特徴とする請求項１乃至５のいずれかに記載の過伸展支持具用フレーム。
【請求項７】
各バックル（１６）は、バンドの緩みを巻き取るてこ機構（１７）を有することを特徴とする請求項７に記載の過伸展支持具用フレーム。
【請求項８】
後部バンドは、各側枠における所定の位置に、高さ方向において調整可能に連結されることを特徴とする請求項７または８に記載の過伸展支持具用フレーム。
【請求項９】
フレーム（１、２、３）は、本質的に複合材料からなることを特徴とする請求項１乃至８のいずれかに記載の過伸展支持具用フレーム。
【請求項１０】
複合材料は、ガラスおよび／または炭素繊維により強化された重合体からなることを特徴とする請求項１０に記載の過伸展支持具用フレーム。
【請求項１１】
骨盤および恥骨体副木（２）および側枠（３）の本体部は、それぞれの横方向において湾曲されていることを特徴とする請求項１０または１１に記載の過伸展支持具用フレーム。
【手続補正２】
【補正対象書類名】明細書
【補正対象項目名】０００３
【補正方法】変更
【補正の内容】
【０００３】
先行文献における過伸展支持具も原理的に機能してはいるが、それらには一定の面で改善の余地がある。例えば、支持具の様々な部材の間の連結には、しばしばネジ及びボルトが用いられており、このため、支持具の寸法を調整するための道具が必要となる。典型的には、ネジ及びボルトは金属部品からなり、これらの金属部品は重いだけでなく、Ｘ線機器と干渉する。
欧州特許第０３１９２２４号明細書（特許文献３）は、上側および下側の副木を備えた腰部牽引装置を開示している。ここで、上側および下側の副木は、ハウジングの間およびハウジングの中に延びるロッドによって互いに連結されており、各ハウジングは、レバー操作によってロッドの長さを調整する機構を有している。腰部牽引装置が治療中の患者に取付けられるとき、牽引制御アセンブリは、印加された力を測定するよう設けられている。腰部牽引装置は、ストラップにより患者に固定されている。
【特許文献１】米国特許第３２２０４０７号明細書
【特許文献２】米国特許第６０１０４７２号明細書
【特許文献３】欧州特許第０３１９２２４号明細書
【国際調査報告】
2009539519.tif 000013
2009539519.tif 000014